【手続補正書】
【提出日】令和3年3月15日(2021.3.15)
【手続補正１】
【補正対象書類名】特許請求の範囲
【補正対象項目名】全文
【補正方法】変更
【補正の内容】
【特許請求の範囲】
【請求項１】
現在ブロックを含む３６０度ビデオコンテンツを取得するステップと、
サブブロックモードが前記現在ブロックのために使用されると決定するステップであって、前記現在ブロックは、複数のサブブロックを含む、ステップと、
前記現在ブロックが、前記３６０度ビデオコンテンツと関連付けられた複数のフェイス上に配置されたサンプルを含むと決定するステップと、
サブブロックレベルのフェイス関連付けに基づいて、前記現在ブロック内の少なくとも１つのサンプルを予測するステップであって、前記現在ブロック内の第１のサブブロックについて、
前記第１のサブブロックの第１のロケーションを識別し、
前記第１のサブブロックの前記識別された第１のロケーションに基づいて、前記第１のサブブロックを第１のフェイスと関連付け、
前記第１のサブブロックと関連付けられた前記第１のフェイスに基づいて、前記第１のサブブロック内の第１のサンプルを予測する、
ステップと
を備えるビデオデコードの方法。
【請求項２】
前記サブブロックレベルのフェイス関連付けに基づいて、前記現在ブロック内の少なくとも１つのサンプルを予測するステップは、
前記現在ブロック内の第２のサブブロックについて、
前記第２のサブブロックの第２のロケーションを識別することと、
前記第２のサブブロックの前記識別された第２のロケーションに基づいて、前記第２のサブブロックを第２のフェイスと関連付けることと、
前記第２のサブブロックと関連付けられた前記第２のフェイスに基づいて、前記第２のサブブロック内の第２のサンプルを予測することと
をさらに含む請求項１に記載の方法。
【請求項３】
前記第２のフェイスは、前記第１のフェイスと異なる請求項２に記載の方法。
【請求項４】
前記第１のサブブロックと関連付けられた前記第１のサンプルを予測するステップは、
動きベクトルを使用して、前記第１のフェイスと関連付けられた基準サンプルを識別することと、
前記識別された基準サンプルに基づいて、前記第１のサブブロック内の前記第１のサンプルを予測することと
をさらに含む請求項１に記載の方法。
【請求項５】
前記第１のサブブロック内の前記第１のサンプルを予測するステップは、前記識別された基準サンプルを使用して、前記第１のサンプルを予測することをさらに含み、前記識別された基準サンプルは、前記第１のフェイス内、または前記第１のフェイスのパディングされた領域内に配置される請求項４に記載の方法。
【請求項６】
前記３６０度ビデオコンテンツは、フレームパッキングされたピクチャ内に並べられた前記複数のフェイスを含み、前記サブブロックレベルのフェイス関連付けは、前記フレームパッキングされたピクチャ内の前記複数のサブブロックの前記ロケーションに基づいて実行される請求項１に記載の方法。
【請求項７】
前記サブブロックレベルのフェイス関連付けに基づいて、前記現在ブロック内の少なくとも１つのサンプルを予測するステップは、
前記第１のサブブロックが前記第１のフェイスと関連付けられ、第２のサブブロックが第２のフェイスと関連付けられ、前記第１のフェイスは、前記第２のフェイスと異なる条件で、前記第１のフェイスと関連付けられた第１の基準サンプルを使用して、前記第１のサンプルを予測し、前記第２のフェイスと関連付けられた第２の基準サンプルを使用して、第２のサンプルを予測すること
をさらに含む請求項１に記載の方法。
【請求項８】
前記サブブロックモードは、高度時間動きベクトル予測（ＡＴＭＶＰ）モード、空間−時間動きベクトル予測（ＳＴＭＶＰ）モード、フレームレートアップコンバージョン（ＦＲＵＣ）モード、またはアフィンモードのうちの少なくとも１つを含む請求項１に記載の方法。
【請求項９】
前記複数のフェイス上においてジオメトリパディングを実行するステップであって、前記第１のフェイスは、前記第１のフェイスと関連付けられたパディングされた領域を含む、ステップをさらに備える請求項１に記載の方法。
【請求項１０】
ビデオデコードのための装置であって、
プロセッサであって、
現在ブロックを含む３６０度ビデオコンテンツを取得し、
サブブロックモードが前記現在ブロックのために使用されると決定し、前記現在ブロックは、複数のサブブロックを含んでおり、
前記現在ブロックが、前記３６０度ビデオコンテンツと関連付けられた複数のフェイス上に配置されたサンプルを含むと決定し、
サブブロックレベルのフェイス関連付けに基づいて、前記現在ブロック内の少なくとも１つのサンプルを予測し、前記現在ブロック内の第１のサブブロックについて、
前記第１のサブブロックの第１のロケーションを識別し、
前記第１のサブブロックの前記識別された第１のロケーションに基づいて、前記第１のサブブロックを第１のフェイスと関連付け、
前記第１のサブブロックと関連付けられた前記第１のフェイスに基づいて、前記第１のサブブロック内の第１のサンプルを予測する
ように構成されるプロセッサ
を備えた装置。
【請求項１１】
前記サブブロックレベルのフェイス関連付けに基づいて、前記現在ブロック内の少なくとも１つのサンプルを予測する前記プロセッサは、
前記現在ブロック内の第２のサブブロックについて、
前記第２のサブブロックの第２のロケーションを識別し、
前記第２のサブブロックの前記識別された第２のロケーションに基づいて、前記第２のサブブロックを第２のフェイスと関連付け、前記第２のフェイスは、前記第１のフェイスと異なっており、
前記第２のサブブロックと関連付けられた前記第２のフェイスに基づいて、前記第２のサブブロック内の第２のサンプルを予測する
ようにさらに構成される請求項１０に記載の装置。
【請求項１２】
前記第１のサブブロックと関連付けられた前記第１のサンプルを予測する前記プロセッサは、
動きベクトルを使用して、前記第１のフェイスと関連付けられた基準サンプルを識別し、
前記識別された基準サンプルに基づいて、前記第１のサブブロック内の前記第１のサンプルを予測する
ようにさらに構成された請求項１０に記載の装置。
【請求項１３】
前記第１のサブブロック内の前記第１のサンプルを予測する前記プロセッサは、前記識別された基準サンプルを使用して、前記第１のサンプルを予測するようにさらに構成され、前記識別された基準サンプルは、前記第１のフェイス内、または前記第１のフェイスのパディングされた領域内に配置される請求項１２に記載の装置。
【請求項１４】
前記サブブロックレベルのフェイス関連付けに基づいて、前記現在ブロック内の少なくとも１つのサンプルを予測する前記プロセッサは、
前記第１のサブブロックが前記第１のフェイスと関連付けられ、第２のサブブロックが第２のフェイスと関連付けられ、前記第１のフェイスは、前記第２のフェイスと異なる条件で、前記第１のフェイスと関連付けられた第１の基準サンプルを使用して、前記第１のサンプルを予測し、前記第２のフェイスと関連付けられた第２の基準サンプルを使用して、第２のサンプルを予測するようにさらに構成された請求項１０に記載の装置。
【請求項１５】
前記サブブロックモードは、高度時間動きベクトル予測（ＡＴＭＶＰ）モード、空間−時間動きベクトル予測（ＳＴＭＶＰ）モード、フレームレートアップコンバージョン（ＦＲＵＣ）モード、またはアフィンモードのうちの少なくとも１つを含む請求項１０に記載の装置。